(57)【特許請求の範囲】
【請求項１】
ヘッドフォン装置であって、
第一ハウジングおよび第２ハウジングを有するコンテナであって、前記第一ハウジングが第一出力チャネルと出音側とを備えるコンテナと、
前記第一ハウジング内に設置され、且つ、前記第一出力チャネルに対応する第一出音面を有する第一スピーカーと、
前記第一ハウジング内および前記第二ハウジング内のそれぞれに設置される複数の第一クロスフィードスピーカーと、
前記第一ハウジング内に設置され、且つ、前記第一ハウジング内の前記第一スピーカーおよび、前記第一クロスフィードスピーカーに電気的に接続される第一電気コネクタと、
前記第一ハウジング内に配置され、且つ、前記第一スピーカーに電気的に接続される第一クロスオーバーと、
前記第二ハウジング内に設置される第二スピーカーと、
前記第二ハウジング内に設置され、且つ、前記第二ハウジング内の前記第二スピーカーおよび前記第一クロスフィードスピーカーに電気的に接続される第二電気コネクタと、
前記第二ハウジング内に設置され、且つ、前記第二スピーカーに電気的に接続される第二クロスオーバーと、
を有し、
前記第一出力チャネルは、前記第一スピーカーから延伸し、且つ、前記第一スピーカーを包囲するとともに、前記出音側に接続されることを特徴とするヘッドフォン装置。
【請求項２】
前記第一ハウジングは、更に、第三スピーカーを有し、且つ、前記第一電気コネクタは、前記第三スピーカーに電気的に接続され、前記第二ハウジングは、更に、第四スピーカーを有し、且つ、前記第二電気コネクタは、前記第四スピーカーに電気的に接続されることを特徴とする請求項１に記載のヘッドフォン装置。
【請求項３】
前記第一クロスオーバーは、前記第三スピーカー、および、前記第一電気コネクタに電気的に接続され、前記第二クロスオーバーは、前記第四スピーカー、および、前記第二電気コネクタに電気的に接続されることを特徴とする請求項２に記載のヘッドフォン装置。
【請求項４】
前記第一ハウジングは、更に、第二出力チャネルを有し、前記第一クロスフィードスピーカーはクロスフィード出音面を有し、前記クロスフィード出音面はクロスフィード出力チャネルに対応し、前記第一スピーカーの中心から前記第三スピーカーの中心までの距離は、前記第三スピーカーの半径の二倍よりも大きく、前記第一スピーカーの中心から前記第一クロスフィードスピーカーの中心までの距離は、前記第一スピーカー、あるいは、前記第一クロスフィードスピーカーの半径の二倍より大きく、前記第一出力チャネルの長さは、前記第二出力チャネルの長さより長く、前記第一出力チャネルの長さは、前記第二出力チャネルの長さの約１２．７倍から１９．１倍で、前記第一出力チャネルの長さは、前記クロスフィード出力チャネルの長さより長く、且つ、前記第一出力チャネルの長さは、前記クロスフィード出力チャネルの長さの約１．６倍から２．５倍であることを特徴とする請求項２に記載のヘッドフォン装置。
【請求項５】
前記第一ハウジングは、更に、第一層構造、第一チャンバー、および第一トレンチを有し、且つ、前記第一スピーカーは前記第一チャンバー中に位置し、
前記第一出力チャネルは、前記第一トレンチを有し、且つ、前記第一層構造に位置することを特徴とする請求項１に記載のヘッドフォン装置。
【請求項６】
前記第一ハウジングは、更に、第二出力チャネルを有し、且つ、前記第一スピーカーは、更に、第二出音面を有し、前記第二出音面は、前記第二出力チャネルに対応することを特徴とする請求項５に記載のヘッドフォン装置。
【請求項７】
前記第一クロスフィードスピーカーはクロスフィード出音面を有し、前記クロスフィード出音面は、クロスフィード出力チャネルに対応し、前記コンテナは、更に、第二チャンバーを有し、前記第一クロスフィードスピーカーは前記第二チャンバー中に位置することを特徴とする請求項５に記載のヘッドフォン装置。
【請求項８】
前記第一ハウジングは、更に、カバー構造、および、第二層構造を有し、前記コンテナは、更に、第二チャンバーを有し、前記第一クロスフィードスピーカーは、クロスフィード出音面を有し、前記クロスフィード出音面は、クロスフィード出力チャネルに対応し、前記第二層構造は、前記第一層構造と前記カバー構造の間に設置され、前記第一層構造は、前記第二層構造と前記出音側の間に設置され、前記第一チャンバー、および、前記第二チャンバーは、前記第二層構造に設置され、前記第一スピーカー、および、前記第一クロスフィードスピーカーは、前記第一層構造に設置され、前記第二層構造は、開口部、凸出部、および、第一通孔を有し、前記クロスフィード出力チャネルは、前記第二層構造、および、前記カバー構造間で延伸するとともに、前記第二層構造、および、前記第一層構造を通過して前記出音側に達し、前記開口部は、前記第一クロスフィードスピーカーに対応し、前記カバー構造は第二トレンチを有し、前記第二トレンチは、前記開口部、前記凸出部、および、前記第一通孔に対応し、前記クロスフィード出力チャネルは、前記開口部、前記第二トレンチ、および、前記第一通孔に沿って延伸して、前記第二層構造を離れ、前記第一層構造は、前記第一通孔に対応する第二通孔を有し、前記クロスフィード出力チャネルは、前記第一通孔、および、前記第二通孔に沿って、前記第二層構造から延伸して、前記第一層構造を通過して、前記出音側に達することを特徴とする請求項５に記載のヘッドフォン装置。
【請求項９】
前記コンテナの壁の厚さは約１５ｍｍから２３ｍｍの間であることを特徴とする請求項１に記載のヘッドフォン装置。
【請求項１０】
更に、オーディオケーブルを有し、
音源装置に接続される主音源端子と、
前記主音源端子に電気的に接続されて、前記第一電気コネクタ、あるいは、前記第二電気コネクタに接続するのに用いる第一音源端子、および、
前記主音源端子に接続されて、前記第一電気コネクタ、あるいは、前記第二電気コネクタに接続するのに用いる第二音源端子、を有し、
前記第一音源端子と前記第二音源端子中の一者は、選択的に、前記第一電気コネクタに接続され、且つ、前記第一音源端子と前記第二音源端子のもう一者は、選択的に、前記第二電気コネクタに接続されることを特徴とする請求項２に記載のヘッドフォン装置。
【発明の詳細な説明】
【技術分野】
【０００１】
本発明は、ヘッドフォン装置に関するものであって、特に、マルチチャネルヘッドフォン装置に関するものである。
【背景技術】
【０００２】
従来のヘッドフォンユニットは、カバー本体、バスチャネルラウドスピーカー、複数の単一チャネルラウドスピーカーボックス、および、複数の単一チャネルラウドスピーカーを有する。これらの単一チャネルラウドスピーカーボックスは、使用者の前後方向に対応して、カバー本体内に設置され、且つ、このバスチャネルラウドスピーカーは、カバー本体内にも設置されるとともに、カバー本体を共振用のスピーカーとする。これらの単一チャネルラウドスピーカーは、それぞれ、これらの単一チャネルラウドスピーカーボックス上に設置される。これにより、このマルチチャネルヘッドフォンモジュールのヘッドフォンユニットは、共同で、少なくとも四チャネルと二バスチャネルの音源出力を提供することができる。
【０００３】
しかし、従来のマルチチャネルヘッドフォンは、比較的単調な音源出力しか提供できず、且つ、その内部のスピーカーは同じ水平面に設置され、多元化のリスニング環境、および、大小音場の立体感を実現することができない。
【発明の概要】
【発明が解決しようとする課題】
【０００４】
従来の技術の問題を解決するため、本発明は、コンテナ、および、第一電気コネクタを有するヘッドフォン装置を提供する。コンテナは、コンテナ内に設置される第一スピーカー、コンテナ内に設置される第二スピーカー、および、コンテナ内に設置される第一クロスフィードスピーカーを有する。第一電気コネクタはコンテナに設置され、且つ、第一スピーカー、第二スピーカー、および、第一クロスフィードスピーカーに電気的に接続される。
【課題を解決するための手段】
【０００５】
一実施態様において、コンテナは、さらに、第一ハウジング、および、第二ハウジングを有し、第一スピーカー、第一クロスフィードスピーカー、および、第一電気コネクタは第一ハウジング内に設置され、第二スピーカーは、第二ハウジング内に設置される。
【０００６】
一実施態様において、第二ハウジングは、さらに、第二ハウジング内に設置される第二クロスフィードスピーカー、および、第二電気コネクタを有し、且つ、第二電気コネクタは、第二スピーカー、および、第二クロスフィードスピーカーに電気的に接続される。
【０００７】
一実施態様において、第一ハウジング内に、さらに、第三スピーカーを有し、且つ、第一電気コネクタは第三スピーカーに電気的に接続される。
【０００８】
一実施態様において、第二ハウジングは、さらに、第四スピーカーを有し、且つ、第二電気コネクタは第四スピーカーに電気的に接続される。
【０００９】
一実施態様において、第一ハウジングは、更に、第一スピーカー、第三スピーカー、および、第一電気コネクタに電気的に接続される第一クロスオーバーを有し、第二ハウジングは、さらに、第二スピーカー、第四スピーカー、および、第二電気コネクタに電気的に接続される第二クロスオーバーを有する。
【００１０】
一実施態様において、第一スピーカーの中心から第三スピーカーの中心までの距離は、第三スピーカーの半径の二倍より大きい。
【００１１】
一実施態様において、第一スピーカーの中心から第一クロスフィードスピーカーの中心までの距離は、第一スピーカー、あるいは、第一クロスフィードスピーカーの半径の二倍より大きい。
【００１２】
一実施態様において、第一ハウジングは、更に、第一層構造、第一チャンバー、第一出力チャネル、第一トレンチ、および、出音側を有し、且つ、第一スピーカーは第一チャンバー中に位置し、且つ、第一出力チャネルに対応する第一出音面を有する。第一出力チャネルは第一トレンチを有し、且つ、第一層構造に位置し、且つ、第一出力チャネルは、第一スピーカーから延伸し、且つ、第一スピーカーを包囲するとともに、出音側に接続される。
【００１３】
一実施態様において、第一ハウジングは、更に、第二出力チャネルを有し、且つ、第一スピーカーは、更に、第二出力チャネルに対応する第二出音面を有する。
【００１４】
一実施態様において、第一出力チャネルの長さは第二出力チャネルの長さより大きい。且つ、第一出力チャネルの長さは、第二出力チャネルの長さの約１２．７倍から１９．１倍である。
【００１５】
一実施態様において、第一クロスフィードスピーカーは、クロスフィード出力チャネルに対応するクロスフィード出音面を有する。コンテナは、更に、第二チャンバーを有し、第一クロスフィードスピーカーは第二チャンバー中に位置する。
【００１６】
一実施態様において、第一出力チャネルの長さはクロスフィード出力チャネルの長さより長く、且つ、第一出力チャネルの長さは、クロスフィード出力チャネルの長さの約１．６倍から２．５倍である。
【００１７】
一実施態様において、第一ハウジングは、更に、カバー構造、および、第二層構造を有し、第二層構造は、第一層構造とカバー構造の間に設置され、第一層構造は、第二層構造と出音側の間に設置され、第一チャンバー、および、第二チャンバーは、第二層構造に設置され、第一スピーカー、および、第一クロスフィードスピーカーは、第一層構造に設置され、第二層構造は、開口部、凸出部、および、第一通孔を有し、クロスフィード出力チャネルは、第二層構造とカバー構造間で延伸するとともに、第二層構造、および、第一層構造を通過して出音側に達し、開口部は第一クロスフィードスピーカーに対応し、カバー構造は、開口部、凸出部、および、第一通孔に対応する第二トレンチを有し、クロスフィード出力チャネルは、開口部、第二トレンチ、および、第一通孔に沿って延伸して第二層構造を離れる。第一層構造は、第一通孔に対応する第二通孔を有し、クロスフィード出力チャネルは、第一通孔、および、第二通孔に沿って、第二層構造から延伸して、第一層構造を経て出音側に達する。
【００１８】
一実施態様において、コンテナの壁の厚さは約１５ｍｍから２３ｍｍの間である。
【００１９】
一実施態様において、ヘッドフォン装置は、更に、オーディオケーブルを有し、オーディオケーブルは、音源装置に接続される主音源端子と、主音源端子に接続されて、第一電気コネクタに接続するのに用いる第一音源端子、および、主音源端子に電気的に接続されて、第一電気コネクタに接続するのに用いる第二音源端子、を有する。第一音源端子、あるいは、第二音源端子は、選択的に、第一電気コネクタに接続される。
【発明の効果】
【００２０】
本発明の実施例によるヘッドフォン装置を応用すると、クロスフィードスピーカーの配置により、左耳でも右耳でも、左右チャネルの音声を受信することができる。また、凸出部、第二トレンチ、および、第三トレンチの経路長さ、経路形状の設計により、音声伝達の時間差を調整することができる。通気孔口、および、第一トレンチの設計により、周波数特性を調整することができる。
【図面の簡単な説明】
【００２１】
【図１Ａ】本発明の実施例によるヘッドフォン装置の組み合わせ図である。
【図１Ｂ】本発明の実施例によるヘッドフォン装置の分解図である。
【図２Ａ】本発明の実施例による第二層構造の細部構造を示す図である。
【図２Ｂ】図１Ａの２Ｂ−２Ｂ’に沿った断面図である。
【図３Ａ】本発明の実施例による低音域スピーカー、および、低音域主チャネルを示す図である。
【図３Ｂ】本発明の実施例による高音域スピーカー、および、高音域主チャネル。
【図３Ｃ】低音域スピーカー、高音域スピーカー、および、クロスフィードスピーカーの固定方式を示す図である。
【図４Ａ】本発明の実施例による第一層構造の細部構造を示す図である。
【図４Ｂ】本発明の実施例による第一層構造の細部構造を示す図である。
【図５Ａ】本発明のもう一つの実施態様によるヘッドフォン装置を示す図である。
【図５Ｂ】本発明のもう一つの実施態様によるヘッドフォン装置を示す図である。
【図６】本発明の実施例によるヘッドフォンの回路図である。
【図７】本発明の実施例によるもう一つのヘッドフォンの回路図である。
【発明を実施するための形態】
【００２２】
本発明のヘッドフォン装置は、それぞれ、使用者の左耳と右耳に装着する二個のヘッドフォンを有する。図１Ａａと図１Ｂは、本発明の実施例によるヘッドフォン１を示す図である。ヘッドフォン１は使用者の左耳か右耳に装着する。ヘッドフォン１は、ハウジング１０、低音域スピーカー２０、低音域補助チャネル（第一出力チャネル）２１、高音域スピーカー３０、高音域補助チャネル３１、クロスフィードスピーカー４０、および、クロスフィード出力チャネル４１を有する。ハウジング１０は出音側１９を有する。低音域スピーカー２０は低音を提供する。少なくとも一部の低音は、低音域スピーカー２０から、低音域補助チャネル２１を通過し、出音側１９から送出する。高音域スピーカー３０は高音を提供する。少なくとも一部の高音は、高音域スピーカー３０から、高音域補助チャネル３１を通過し、出音側１９から送出される。クロスフィードスピーカー４０はクロスフィード入音を提供する。クロスフィード入音は、クロスフィードスピーカー４０から、クロスフィード出力チャネル４１を通過し、出音側１９から送出される。
【００２３】
一実施態様において、ハウジング１０は、カバー構造１３、第一層構造１１、および、第二層構造１２を有し、第二層構造１２は、第一層構造１１とカバー構造１３の間に設置され、第一層構造１１は、第二層構造１２と出音側１９の間に設置され、低音域スピーカー２０、高音域スピーカー３０、および、クロスフィードスピーカー４０は、第一層構造１１に設置される。低音域スピーカー２０、高音域スピーカー３０、および、クロスフィードスピーカー４０は、磁力、あるいは、係合等の方式で固定される。
【００２４】
いくつかの実施態様において、ハウジング１０の壁の厚さは約１５ｍｍから２３ｍｍの間である。本実施態様において、ハウジング１０の壁の厚さは１９ｍｍである。いくつかの実施態様において、出音側１９は耳あてであり、その材質は、ポリカーボネートプラスチック（Ｐｏｌｙｃａｒｂｏｎａｔｅ  ｐｌａｓｔｉｃ，  ＰＣ）、あるいは、アクリロニトリルブタジエンスチレン  （Ａｃｒｙｌｏｎｉｔｒｉｌｅ  Ｂｕｔａｄｉｅｎｅ  Ｓｔｙｒｅｎｅ）である。
【００２５】
図２Ａは、第二層構造１２の細部構造を示す図で、図２Ｂは、図１Ａ中の２Ｂ−２Ｂ’の断面図である。クロスフィード出力チャネル４１は第二層構造１２上で延伸するとともに、第二層構造１２、および、第一層構造１１から出音側１９に達する。第二層構造１２は、開口部１１１、凸出部１１２、および、第一通孔１１３を有し、開口部１１１はクロスフィードスピーカー４０に対応する。カバー構造１３は、開口部１１１、凸出部１１２、および、第一通孔１１３に対応する第二トレンチ１３１を有する。この実施態様において、第二トレンチ１３１は直線型トレンチである。
【００２６】
クロスフィード出力チャネル４１は、開口部１１１、第二トレンチ１３１、および、第一通孔１１３に沿って延伸し、第二層構造１２を離れる。第一層構造１１は、通孔１１３に対応する第二通孔１２１を有し、クロスフィード出力チャネル４１は、第一通孔１１３、および、第二通孔１２１に沿って、第二層構造１２から延伸して、第一層構造１１から出音側１９に達する。クロスフィード出力チャネル４１は、開口部１１１から第二通孔１２１の長さが約９４ｍｍである。いくつかの実施態様において、クロスフィード出力チャネル４１は、開口部１１１から第二通孔１２１の長さが、約７５．２から１１２．８ｍｍの間である。上述のクロスフィード出力チャネル４１の長さにより、ヘッドフォン装置１の音質を向上させることができる。
【００２７】
図２Ａを参照すると、一実施態様において、第二層構造１２は、更に、低音域スピーカー２０に対応する複数の通気孔１１４を有する。
【００２８】
ヘッドフォン装置１は、更に、電気コネクタ５０、および、オーディオケーブル６０を有する。電気コネクタ５０はハウジング１０に設置される。一実施態様において、電気コネクタ５０は第二層構造１２に設置される。電気コネクタ５０は、低音域スピーカー２０、高音域スピーカー３０、および、クロスフィードスピーカー４０に電気的に接続されるヘッドフォンジャックである。
【００２９】
オーディオケーブル６０は、音源端子６１、および、ワイヤ６４を有する。音源端子６１は、電気コネクタ５０に挿入、あるいは、接続される。ワイヤ６４の一端は音源端子６１に設置される。ワイヤ６４の一端は、音源装置、たとえば、コンピュータ、マルチメディアプレーヤー、あるいは、音楽プレーヤーに電気的に接続される。
【００３０】
図３Ａと図３Ｂを参照すると、傾斜設置された低音域スピーカー２０は、第一出音面２０１、および、第二出音面２０２を有し、第一出音面２０１は、低音域補助チャネル（第一出力チャネル）２１（図４Ａに示される）に対応し、第二出音面２０２は、低音域主チャネル（第二出力チャネル）２２により、直接、出音側１９に、少なくとも一部の低音を出力する。一実施態様において、第一出音面２０１と第二出音面２０２は、傾斜角度正負１０度で隣り合って設置される。第一出音面２０１、および、第二出音面２０２は、同じ、あるいは、異なる周波数の音を発することができる。
【００３１】
高音域スピーカー３０は、第一出音面３０１、および、第二出音面３０２を有し、第一出音面３０１は、高音域補助チャネル３１（図４Ａに示される）に対応する。第二出音面３０２は、高音域主チャネル３２により、直接、出音側１９に、少なくとも一部の高音を出力する。一実施態様において、第一出音面３０１と第二出音面３０２は、傾斜角度正負１０度で隣り合って設置される。第一出音面３０１、および、第二出音面３０２は、同じ、あるいは、異なる周波数の音を発することができる。傾斜設置された高音域スピーカー３０は、高音域主チャネル３２により、直接、出音側１９に、少なくとも一部の高音を出力する。
【００３２】
低音域スピーカー２０により提供される低音の一部は、傾斜低音域スピーカー２０の設計に基づいて、低音域補助チャネル２１から出音側１９に達し、高音域スピーカー３０により提供される高音の一部は、傾斜高音域スピーカー３０の設計に基づいて、高音域補助チャネル３１（図４Ａに示される）から出音側１９に達して、立体的なサウンド効果を生成する。
【００３３】
いくつかの実施態様において、低音域主チャネル２２の長さは、約９．６ｍｍから１４．４ｍｍの間である。本実施態様において、低音域主チャネル２２の長さは、約１２ｍｍである。上述の低音域主チャネル２２の長さは、第二出音面２０２から出音側１９の間の平均距離として定義される。
【００３４】
いくつかの実施態様において、低音域補助チャネル２１の長さは約１５２ｍｍから２２９ｍｍの間である。本実施態様において、低音域補助チャネル２１の長さは約１９０．５ｍｍである。上述の低音域補助チャネル２１の長さは、第一トレンチ１２２の長さと第三通孔１２３の長さとして定義される。
【００３５】
いくつかの実施態様において、低音域補助チャネル２１の長さは、低音域主チャネル２２の長さより長い。低音域補助チャネル２１の長さは、低音域主チャネル２２の長さの約１２．７倍から１９．１倍である。本実施態様において、低音域補助チャネル２１の長さは、低音域主チャネル２２の長さの約１５．９倍である。
【００３６】
いくつかの実施態様において、高音域主チャネル３２の長さは、約９．６ｍｍから１４．４ｍｍの間である。本実施態様において、高音域主チャネル３２の長さは、約１２ｍｍである。上述の高音域主チャネル３２の長さは、第二出音面３０２から出音側１９の間の平均距離として定義される。
【００３７】
いくつかの実施態様において、高音域補助チャネル３１の長さは約１０６ｍｍから１５９ｍｍの間である。本実施態様において、高音域補助チャネル３１の長さは約１３２．３ｍｍである。上述の高音域補助チャネル３１の長さは、第三トレンチ１２４の長さと第四通孔１２５の長さとして定義される。
【００３８】
いくつかの実施態様において、高音域補助チャネル３１の長さは、高音域主チャネル３２の長さより長い。高音域補助チャネル３１の長さは、高音域主チャネル３２の長さの約８．８倍から１３．３倍である。本実施態様において、高音域補助チャネル３１の長さは、高音域主チャネル３２の長さの約１１倍である。
【００３９】
いくつかの実施態様において、低音域補助チャネル２１の長さは、クロスフィード出力チャネル４１の長さより長い。クロスフィード出力チャネル４１の長さは、高音域補助チャネル３１の長さより短い。低音域補助チャネル２１の長さは、クロスフィード出力チャネル４１の長さの約１．６倍から２．５倍である。低音域補助チャネル２１の長さは、高音域補助チャネル３１の長さの約１．１倍から１．８倍である。クロスフィード出力チャネル４１の長さは、高音域補助チャネル３１の長さの約０．５倍から０．９倍である。
【００４０】
上述の構造により、ヘッドフォン装置１の音質を向上させることができる。
【００４１】
図３Ｃは、低音域スピーカー２０、高音域スピーカー３０、および、クロスフィードスピーカー４０の固定方式を示す図で、第二層構造１２は、第一チャンバー１１５、第三チャンバー１１６、および、第二チャンバー１１７を有し、第一チャンバー１１５は第一斜面１１８を有し、第三チャンバー１１６は第二斜面１１９を有し、低音域スピーカー２０は、第一チャンバー１１５に嵌入されるとともに、第一斜面１１８に接触し、高音域スピーカー３０は、第三チャンバー１１６に嵌入されるとともに、第二斜面１１９に接触し、クロスフィードスピーカー４０は第二チャンバー１１７に嵌入される。
【００４２】
図４Ａと図４Ｂは、第一層構造１１の細部構造を示す図で、低音域補助チャネル２１は第一層構造１１で延伸するとともに、第一層構造１１から出音側１９に達する。第一層構造１１は、第一トレンチ１２２、および、第三通孔１２３を有し、少なくとも一部の第一トレンチ１２２は、低音域スピーカー２０を包囲して延伸するとともに、第三通孔１２３に接続され、低音域補助チャネル２１は、第一トレンチ１２２、および、第三通孔１２３に沿って延伸し、第一層構造１１を離れる。
【００４３】
一実施態様において、第一トレンチ１２２は、櫛状部１２２Ａを有する。櫛状部１２２Ａは、音声遅延効果を提供する。
【００４４】
図４Ａと図４Ｂを参照すると、第一層構造１１は、第三トレンチ１２４、および、第四通孔１２５を有し、少なくとも一部の第三トレンチ１２４は、高音域スピーカー３０を包囲して延伸するとともに、第四通孔１２５に接続され、高音域補助チャネル３１は、第三トレンチ１２４、および、第四通孔１２５に沿って延伸し、第一層構造１１を離れる。一実施態様において、少なくとも一部の第三トレンチ１２４は、低音域スピーカー２０を包囲する。
【００４５】
いくつかの実施態様において、第三通孔１２３の直径は、約３．２ｍｍから４．８ｍｍの間である。本実施態様において、第三通孔１２３の直径は４ｍｍである。いくつかの実施態様において、第四通孔１２５の直径は、約４．８ｍｍから７．２ｍｍの間である。本実施態様において、第四通孔１２５の直径は６ｍｍである。
【００４６】
このほか、第四通孔１２５の直径は、第三通孔１２３の直径の１．２倍から１．８倍より大きい。本実施態様において、第四通孔１２５の直径は、第三通孔１２３の直径の１．５倍である。
【００４７】
図４Ａと図４Ｂを参照すると、この実施態様において、第三通孔１２３は第四通孔１２５に隣接し、第二通孔１２１は、低音域スピーカー２０と高音域スピーカー３０の間に位置し、低音域スピーカー２０は、第二通孔１２１と第三通孔１２３の間に位置する。つまり、櫛状部１２２Ａ、第二通孔１２１、第三通孔１２３、および、第四通孔１２５は低音域スピーカー２０を包囲して配列される。
【００４８】
図４Ａを参照すると、この実施態様において、低音域スピーカー２０の半径は、約１６ｍｍから２４ｍｍの間で、本実施態様において、約２０ｍｍである。高音域スピーカー３０の半径は、約９．２ｍｍから１３．８ｍｍの間で、本実施態様において、約１１．５ｍｍである。クロスフィードスピーカー４０の半径は、約１６ｍｍから２４ｍｍの間で、本実施態様において、約２０ｍｍである。
【００４９】
低音域スピーカー２０の中心から高音域スピーカー３０の中心までの距離ｄ１は、高音域スピーカー３０の半径の二倍より大きく、本実施態様において、約４７．５ｍｍである。クロスフィードスピーカー４０の中心から高音域スピーカー３０の中心までの距離ｄ３は、高音域スピーカー３０の半径の二倍より大きく、本実施態様において、約４５ｍｍである。低音域スピーカー２０の中心からクロスフィードスピーカー４０の中心までの距離ｄ２は、低音域スピーカー２０、あるいは、クロスフィードスピーカー４０の半径の二倍より大きく、本実施態様において、約５１．６ｍｍである。上述の構造により、ヘッドフォン装置１の音質を向上させることができる。
【００５０】
本発明の実施例によるヘッドフォン装置を応用すると、クロスフィードスピーカーの配置により、左耳でも右耳でも、左右チャネルの音声を受信することができる。また、凸出部、第二トレンチ、および、第三トレンチの経路長さ、経路形状の設計により、音声伝達の時間差を調整することができる。通気孔、および、第一トレンチの設計により、周波数特性を調整することができる。
【００５１】
一実施態様において、低音域スピーカー２０と高音域スピーカー３０の音量が大音量である時、クロスフィードスピーカー４０は小音量である。反対に、低音域スピーカー２０と高音域スピーカー３０の音量が小音量である時、クロスフィードスピーカー４０は大音量で、これにより、ステレオ音声を提供する。
【００５２】
図１Ａを参照すると、一実施態様において、ヘッドフォン装置は、更に、通気孔１５を有し、通気孔１５はハウジング１０側辺に形成されるとともに、外部の空気と通じて、自然な音声にする。
【００５３】
図５Ａと図５Ｂは、本発明のもう一つの実施態様によるヘッドフォン装置を示す図で、クロスフィード出力チャネル４１は、第二層構造１２とカバー構造１３の間で延伸するとともに、第二層構造１２、および、第一層構造１１から出音側１９に達し、第二層構造１２は、開口部１１１、第二トレンチ１１２’、および、第一通孔１１３を有し、開口部１１１はクロスフィードスピーカー４０に対応し、第二トレンチ１１２’は、開口部１１１、および、第一通孔１１３に連通し、クロスフィード出力チャネル４１は、開口部１１１、第二トレンチ１１２’、および、第一通孔１１３に沿って延伸して、第二層構造１２を離れる。カバー構造１３は音室１３１’を有し、音室１３１’は、開口部１１１、および、第二トレンチ１１２’に接続され、クロスフィード出力チャネル４１は、開口部１１１、音室１３１’、第二トレンチ１１２’、および、第一通孔１１３に沿って延伸し、第二層構造１２を離れる。音室１３１’は、周波数特性を調整することができる。
【００５４】
図６は、本発明の実施例によるヘッドフォン１の回路図である。図７は、本発明の実施例によるヘッドフォン１ａの回路図である。本実施態様において、ヘッドフォン装置のヘッドフォン（第一ヘッドフォン）１は左ヘッドフォンで、使用者の左耳に装着する。ヘッドフォン装置のヘッドフォン（第二ヘッドフォン）１ａは右ヘッドフォンで、使用者の右耳に装着する。
【００５５】
本実施態様において、ヘッドフォン１ａの構造とヘッドフォン１の構造は対称である。ヘッドフォン装置がヘッドセットである場合、ヘッドフォン１と１ａを接続する頭部装着構造（図示しない）を有して、ヘッドフォン装置を頭部に装着しやすくする。ヘッドフォン装置は、ヘッドフォン１のハウジング１０、および、ヘッドフォン１ａのハウジング１０ａを含むコンテナ（１０と１０ａ）を有する。
【００５６】
電気コネクタ（第一電気コネクタ）５０は、低音域スピーカー（第一スピーカー）２０、および、高音域スピーカー（第三スピーカー）３０に電気的に接続される。電気コネクタ５０はヘッドフォンジャックで、オーディオケーブル６０の音源端子６１を挿入、あるいは、接続する。
【００５７】
オーディオケーブル６０は、更に、音源端子６２、および、主音源端子６３を有する。主音源端子６３は、音源装置に挿入、あるいは、接続されて、音源の左チャネル音声信号、および、右チャネル音声信号を受信する。主音源端子６３は、左チャネル正極端子６３１、左チャネル負極端子６３２、右チャネル正極端子６３３、および、右チャネル負極端子６３４を有する。主音源端子が、音源に挿入、あるいは、接続される時、左チャネル正極端子６３１、左チャネル負極端子６３２、右チャネル正極端子６３３、および、右チャネル負極端子６３４は、音源装置に電気的に接続される。
【００５８】
左チャネル正極端子６３１、および、左チャネル負極端子６３２は、左チャネル音声信号をヘッドフォン１、１ａに送信する。右チャネル正極端子６３３、および、右チャネル負極端子６３４は、右チャネル音声信号をヘッドフォン１、１ａに送信する。
【００５９】
音源端子６１は音声信号を送信する。本実施態様において、音源端子６１が送信する音声信号は、左チャネル音声信号である。電気コネクタ５０は、音源端子６１が送信する音声信号を受信し、且つ、上述の左チャネル音声信号は、電気コネクタ５０から、低音域スピーカー２０と高音域スピーカー３０に送信される。
【００６０】
音源端子６１は、左チャネル正極端子６１１、左チャネル負極端子６１４、右チャネル正極端子６１２、および、右チャネル負極端子６１３を有する。左チャネル正極端子６１１は、ワイヤ６４により、左チャネル正極端子６３１に接続される。左チャネル負極端子６１４は、ワイヤ６４により、左チャネル負極端子６３２に接続される。右チャネル正極端子６１２は、ワイヤ６４により、右チャネル正極端子６３３に接続される。右チャネル負極端子６１３は、ワイヤ６４により、右チャネル負極端子６３４に接続される。
【００６１】
このほか、左チャネル正極端子６１１は、電気コネクタ５０により、低音域スピーカー２０と高音域スピーカー３０に電気的に接続される。左チャネル負極端子６１４は、電気コネクタ５０により、低音域スピーカー２０と高音域スピーカー３０に接続される。右チャネル正極端子６１２は、電気コネクタ５０により、クロスフィードスピーカー４０に接続される。右チャネル負極端子６１３は、電気コネクタ５０により、クロスフィードスピーカー４０に接続される。
【００６２】
ヘッドフォン１は、更に、低音域スピーカー２０、高音域スピーカー３０と電気コネクタ５０に電気的に接続されるクロスオーバー（第一クロスオーバー）７０を有する。クロスオーバー７０は、第一キャパシタ７１、および、第二キャパシタ７２を有する。第一キャパシタ７１、および、第二キャパシタ７２は並列接続される。第一キャパシタ７１は、約０．３７ｕｆから０．５７ｕｆの間で、且つ、第二キャパシタ７２は、約０．１７ｕｆから０．２７ｕｆの間である。本実施態様において、第一キャパシタ７１は、約０．４７ｕｆ、且つ、第二キャパシタ７２は、約０．２２ｕｆである。
【００６３】
クロスオーバー７０により、高音域スピーカー３０が、音声信号の一クロスオーバー周波数以上の信号にしたがって、音を生成し、且つ、低音域スピーカー２０は、音声信号のクロスオーバー周波数以下の信号にしたがって、音を生成する。本実施態様において、上述のクロスオーバー周波数は４．２ＫＨＺである。
【００６４】
図７に示されるように、低音域スピーカー（第二スピーカー）２０ａ、高音域スピーカー（第四スピーカー）３０ａ、および、クロスフィードスピーカー（第二クロスフィードスピーカー）４０ａは、ヘッドフォン１ａのハウジング（第二ハウジング）１０ａ内に設置される。電気コネクタ（第二電気コネクタ）５０ａはハウジング１０ａに設置され、且つ、低音域スピーカー２０ａ、および、高音域スピーカー３０ａに電気的に接続される。ヘッドフォン１ａは、更に、低音域スピーカー２０ａ、高音域スピーカー３０ａと電気コネクタ５０ａに電気的に接続するクロスオーバー（第二クロスオーバー）７０ａを有する。
【００６５】
電気コネクタ５０ａは、オーディオケーブル６０の音源端子６２を挿入、あるいは、接続するヘッドフォンジャックである。音源端子６２は、音声信号を送信する。本実施態様において、音源端子６２が送信する音声信号は、右チャネル音声信号である。電気コネクタ５０ａは、音源端子６２が送信する音声信号を受信し、且つ、上述の右チャネル音声信号は、電気コネクタ５０ａから、低音域スピーカー２０ａと高音域スピーカー３０ａに送信される。
【００６６】
音源端子６２は、左チャネル正極端子６２１、左チャネル負極端子６２２、右チャネル正極端子６２３、および、右チャネル負極端子６２４を有する。左チャネル正極端子６２１は、ワイヤ６４により左チャネル正極端子６３１に接続される。左チャネル負極端子６２２は、ワイヤ６４により左チャネル負極端子６３２に接続される。右チャネル正極端子６２３は、ワイヤ６４により右チャネル正極端子６３３に接続される。右チャネル負極端子６２４は、ワイヤ６４により右チャネル負極端子６３４に接続される。
【００６７】
このほか、左チャネル正極端子６２１は、電気コネクタ５０ａにより、クロスフィードスピーカー４０ａに電気的に接続される。左チャネル負極端子６２２は、電気コネクタ５０ａにより、クロスフィードスピーカー４０ａに接続される。右チャネル正極端子６２３は、電気コネクタ５０ａにより、低音域スピーカー２０ａと高音域スピーカー３０ａに接続される。右チャネル負極端子６２４は、電気コネクタ５０ａにより低音域スピーカー２０ａと高音域スピーカー３０ａに接続される。
【００６８】
図６と図７に示されるように、本実施態様において、主音源端子６３の左チャネル正極端子６３１、および、左チャネル負極端子６３２は、ヘッドフォン１の低音域スピーカー２０と高音域スピーカー３０、および、ヘッドフォン１ａのクロスフィードスピーカー４０ａに電気的に接続される。このほか、主音源端子６３の右チャネル正極端子６３３、および、右チャネル負極端子６３４は、ヘッドフォン１ａの低音域スピーカー２０ａと高音域スピーカー３０ａ、および、ヘッドフォン１のクロスフィードスピーカー４０に電気的に接続される。これにより、ヘッドフォン１に挿入される、あるいは、接続されるオーディオケーブル６０の音声信号も、ヘッドフォン１ａのクロスフィードスピーカー４０ａに送信され、且つ、ヘッドフォン１ａに挿入、あるいは、接続されるオーディオケーブル６０の音声信号も、ヘッドフォン１のクロスフィードスピーカー４０に送信される。これにより、本発明の実施例によるヘッドフォン装置を応用すると、クロスフィードスピーカー４０、４０ａの配置により、左耳でも右耳でも、左右チャネルの音声を受信することができる。
【００６９】
このほか、本実施態様は、オーディオケーブル６０を利用して、同時に、左右チャネルの音声をヘッドフォン１、１ａに送信するので、これにより、ワイヤを、頭部装着型ヘッドフォン装置の頭部装着構造（図示しない）に装着する必要がない。このほか、オーディオケーブル６０の音源端子６１は、ヘッドフォン１ａの電気コネクタ５０ａに挿入、あるいは、接続することができ、且つ、オーディオケーブル６０の音源端子６２は、ヘッドフォン１の電気コネクタ５０に挿入、あるいは、接続することができ、この設定は、ヘッドフォン１とヘッドフォン１ａが音声を出力できなくするという欠点を生じさせない。
【００７０】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができる。従って、本発明の保護範囲は、特許請求の範囲で指定した内容を基準とする。
【符号の説明】
【００７１】
１  ヘッドフォン（第一ヘッドフォン）
１ａ  ヘッドフォン（第二ヘッドフォン）
１０  ハウジング（第一ハウジング）
１０ａ  ハウジング（第二ハウジング）
１１  第一層構造
１１１  開口部
１１２  凸出部
１１２’  第二トレンチ
１１３  第一通孔
１１４  通気孔
１１５  第一チャンバー
１１６  第三チャンバー
１１７  第二チャンバー
１２  第二層構造
１２１  第二通孔
１２２  第一トレンチ
１２２Ａ  櫛状部
１２３  第三通孔
１２４  第三トレンチ
１２５  第四通孔
１３  カバー構造
１３１  第二トレンチ
１３１’  音室
１５  通気孔
１９  出音側
２０  低音域スピーカー（第一スピーカー）
２０ａ  低音域スピーカー（第二スピーカー）
２０１  第一出音面
２０２  第二出音面
２１  低音域補助チャネル（第一出力チャネル）
２２  低音域主チャネル（第二出力チャネル）
３０  高音域スピーカー（第三スピーカー）
３０ａ  高音域スピーカー（第四スピーカー）
３０１  第一出音面
３０２  第二出音面
３１  高音域補助チャネル
３２  高音域主チャネル
４０  クロスフィードスピーカー（第一クロスフィードスピーカー）
４０ａ  クロスフィードスピーカー（第一クロスフィードスピーカー、第二クロスフィードスピーカー）
４１  クロスフィード出力チャネル
５０  電気コネクタ（第一電気コネクタ）
５０ａ  電気コネクタ（第二電気コネクタ）
６０  オーディオケーブル
６１  音源端子
６１１  左チャネル正極端子
６１２  右チャネル正極端子
６１３  右チャネル負極端子
６１４  左チャネル負極端子
６２  音源端子
６２１  左チャネル正極端子
６２２  左チャネル負極端子
６２３  右チャネル正極端子
６２４  右チャネル負極端子
６３  主音源端子
６３１  左チャネル正極端子
６３２  左チャネル負極端子
６３３  右チャネル正極端子
６３４  右チャネル負極端子
６４  ワイヤ
７０  クロスオーバー（第一クロスオーバー）
７０ａ  クロスオーバー（第二クロスオーバー）
７１  第一キャパシタ
７２  第二キャパシタ
ｄ１、ｄ２、ｄ３  距離
【図１Ａ】
0006491256.tif 000002
【図１Ｂ】
0006491256.tif 000003
【図２Ａ】
0006491256.tif 000004
【図２Ｂ】
0006491256.tif 000005
【図３Ａ】
0006491256.tif 000006
【図３Ｂ】
0006491256.tif 000007
【図３Ｃ】
0006491256.tif 000008
【図４Ａ】
0006491256.tif 000009
【図４Ｂ】
0006491256.tif 000010
【図５Ａ】
0006491256.tif 000011
【図５Ｂ】
0006491256.tif 000012
【図６】
0006491256.tif 000013
【図７】
0006491256.tif 000014